(57)【要約】      （修正有）【課題】ユーザの寝姿勢を改善させる大きな変形を得る空気袋が用いられた枕および枕システムを提供する。【解決手段】枕１００は、外カバー１０と内カバー９に覆われた内部に、枕ベース１２と、防音材７と、反発シート８が収容された構造を有する。枕ベース１２は、枕１００の高さや形状を変化させる機能が組み込まれている。反発シート８は、ユーザの頭などが枕１００と接する部分について、硬さを和らげて寝心地を改善する。【選択図】図１
2020014812.tif 000002
【特許請求の範囲】
【請求項１】
少なくとも上面が、空気の出し入れに伴って伸縮する素材からなる上段袋と、
前記上段袋よりも下方に配置され、少なくとも上面が、空気の出し入れに伴って伸縮する素材からなる下段袋と、
前記上段袋と前記下段袋との間に配置され、前記上段袋の下面が固定されるかあるいは当該下面を兼ねている、前記上段袋の伸縮時にも伸縮せず当該上段袋が萎んだ際にも皺よりしない程度に硬く、かつ、前記下段袋の伸縮による力で撓む程度の可撓性を有する可撓性シートと、
を備えたことを特徴とする枕。
【請求項２】
前記可撓性シートは、少なくとも一端が前記下段袋の側方を回り込んで該下段袋よりも下方に至るまで延び、当該一端は当該側方へと抜けないように保持されていることを特徴とする請求項１に記載の枕。
【請求項３】
前記可撓性シートは、前記上段袋と前記下段袋とが重なる上下方向に直交した前後左右方向の各一端が、前記下段袋における各方向の側方を回り込み該下段袋よりも下方に至って保持されていることを特徴とする請求項２に記載の枕。
【請求項４】
前記可撓性シートの一端のうち、前記枕に頭をのせた人物の首側に位置する一端については、前記下段袋の側方を回り込んでいる箇所の左右方向の一部が該下段袋側に凹んでいることを特徴とする請求項２に記載の枕。
【請求項５】
前記可撓性シートの、前記下段袋の側方を回り込んでいる箇所の一部に、該可撓性シートの可撓性を高める穴が開いていることを特徴とする請求項２に記載の枕。
【請求項６】
前記下段袋として、前記可撓性シートに沿って並んだ複数の下段袋を備えたことを特徴とする請求項１に記載の枕。
【請求項７】
前記下段袋として、左右方向の左と中と右とのそれぞれに配置された複数の下段袋を備えたことを特徴とする請求項６に記載の枕。
【請求項８】
前記可撓性シートは、前記複数の下段袋の相互間に沿って延びる折り目を有することを特徴とする請求項７に記載の枕。
【請求項９】
前記上段袋として、前記可撓性シートに沿って並んだ複数の上段袋を備えたことを特徴とする請求項６に記載の枕。
【請求項１０】
空気の送り込みによって変形する枕と、
前記枕に空気を送り込む送気装置と、
前記送気装置による空気の送り込みを制御する制御装置と、
を備え、
前記枕が、
少なくとも上面が、空気の出し入れに伴って伸縮する素材からなる上段袋と、
前記上段袋よりも下方に配置され、少なくとも上面が、空気の出し入れに伴って伸縮する素材からなる下段袋と、
前記上段袋と前記下段袋との間に配置され、前記上段袋の下面が固定されるかあるいは当該下面を兼ねている、前記上段袋の伸縮時にも伸縮せず当該上段袋が萎んだ際にも皺よりしない程度に硬く、かつ、前記下段袋の伸縮による力で撓む程度の可撓性を有する可撓性シートと、
を備えたことを特徴とする枕システム。
【発明の詳細な説明】
【技術分野】
【０００１】
本発明は、枕および枕システムに関する。
【背景技術】
【０００２】
従来、ユーザの寝姿勢改善や個人差への対応などを目的として、空気で膨張・収縮する袋を備えた枕が提案されている。
例えば特許文献１には、多数の空気袋（チャンバ）が配列された枕シートが開示されている。各チャンバの膨張収縮は、制御モジュールで制御される。
【０００３】
また、例えば特許文献２には、２段に重なった空気袋（エアーバック）を有する枕が開示されている。２段のエアーバックは、下段のエアーバックで上段のエアーバックを傾けるように構成され、少ない空気で大きな動きを生むことができる。
【先行技術文献】
【特許文献】
【０００４】
【特許文献１】特開２００７−２８３１０６号公報
【特許文献２】特開２００６−１０１９３４号公報
【発明の概要】
【発明が解決しようとする課題】
【０００５】
しかしながら、１段の空気袋では、ユーザの寝姿勢を改善させる程の大きな変形を枕に生じさせることが難しい。また、複数段に空気袋を重ねても、従来の技術では下段の空気袋が単に上段の空気袋や枕全体を持ち上げたり傾けたりするものであるため、枕の変形に寄与しない。
上記事情に鑑み、本発明は、空気袋が用いられた枕および枕システムで、ユーザの寝姿勢を改善させる大きな変形を得ることを目的とする。
【課題を解決するための手段】
【０００６】
上記目的を達成する枕は、少なくとも上面が、空気の出し入れに伴って伸縮する素材からなる上段袋と、上記上段袋よりも下方に配置され、少なくとも上面が、空気の出し入れに伴って伸縮する素材からなる下段袋と、上記上段袋と上記下段袋との間に配置され、上記上段袋の下面が固定されるかあるいは当該下面を兼ねている、上記上段袋の伸縮時にも伸縮せず当該上段袋が萎んだ際にも皺よりしない程度に硬く、かつ、上記下段袋の伸縮による力で撓む程度の可撓性を有する可撓性シートと、を備える。
【０００７】
このような枕によれば、下段袋の膨張伸縮が、可撓性シートの撓みを介して枕の変形に寄与するので、上段袋と下段袋とで十分に大きな変形を枕に生じさせることができる。また、可撓性シートは、上記の硬さを有するので、上段袋の膨張による力が側方に逃げることが防止され、上段袋の膨張伸縮で枕が上下方向に効率よく変形する。
【０００８】
上記枕において、上記可撓性シートは、少なくとも一端が上記下段袋の側方を回り込んで当該下段袋よりも下方に至るまで延び、当該一端は当該側方へと抜けないように保持されていることが好ましい。
【０００９】
このような好ましい構成によれば、上段袋の膨張時における可撓性シートの反りが、下段袋の側方を回り込んだ一端によって抑制されるので、上段袋の膨張伸縮による枕の上下方向変形が更に効率よくなる。
【００１０】
上記可撓性シートの一端が下段袋の側方を回り込んでいる枕において、上記可撓性シートは、上記上段袋と上記下段袋とが重なる上下方向に直交した前後左右方向の各一端が、上記下段袋における各方向の側方を回り込み当該下段袋よりも下方に至って保持されていることが更に好ましい。このような構成により、前後左右方向の全てにおいて、可撓性シートの反りが抑制される。
【００１１】
また、上記可撓性シートの一端が下段袋の側方を回り込んでいる枕において、上記可撓性シートの一端のうち、上記枕に頭をのせた人物の首側に位置する一端については、上記下段袋の側方を回り込んでいる箇所の左右方向の一部が当該下段袋側に凹んでいることも好適である。このように可撓性シートの一部が凹んでいることにより、枕とユーザの首回りとのフィット感が増す。
【００１２】
また、上記可撓性シートの一端が下段袋の側方を回り込んでいる枕において、上記可撓性シートの、上記下段袋の側方を回り込んでいる箇所の一部に、当該可撓性シートの可撓性を高める穴が開いていることも好適である。このような穴が開いていることにより、空気袋が萎んだときの枕の高さが十分に下がるので、ユーザの高さの好みに幅広く対応することができる。
【００１３】
上記枕においては、上記下段袋として、上記可撓性シートに沿って並んだ複数の下段袋を備えることが好ましい。複数の下段袋を備えることにより、下段袋が１つの場合に較べ、下段袋の膨張伸縮で生じる変形の種類が増す。
【００１４】
複数の下段袋を備える枕において、上記下段袋として、左右方向の左と中と右とのそれぞれに配置された複数の下段袋を備えることが更に好ましい。左と中と右の配置により、特に有用な変形が得られる。
【００１５】
左と中と右の下段袋を備える枕において、上記可撓性シートは、上記複数の下段袋の相互間に沿って延びる折り目を有することが更にまた好ましい。折り目によって上記有用な変形が容易となる。
【００１６】
また、複数の下段袋を備える枕において、上記上段袋として、上記可撓性シートに沿って並んだ複数の上段袋を備えることも好ましい。複数の上段袋を備えることにより、上段袋が１つの場合に較べ、上段袋の膨張伸縮で生じる変形の種類が増す。
【００１７】
上記目的を達成する枕システムは、空気の送り込みによって変形する枕と、上記枕に空気を送り込む送気装置と、上記送気装置による空気の送り込みを制御する制御装置と、を備え、上記枕が、少なくとも上面が、空気の出し入れに伴って伸縮する素材からなる上段袋と、上記上段袋よりも下方に配置され、少なくとも上面が、空気の出し入れに伴って伸縮する素材からなる下段袋と、上記上段袋と上記下段袋との間に配置され、上記上段袋の下面が固定されるかあるいは当該下面を兼ねている、上記上段袋の伸縮時にも伸縮せず当該上段袋が萎んだ際にも皺よりしない程度に硬く、かつ、上記下段袋の伸縮による力で撓む程度の可撓性を有する可撓性シートと、を備えたことを特徴とする。
このような枕システムによれば、上段袋と下段袋とで十分に大きな変形を枕に生じさせることができ、上段袋の膨張伸縮で枕が上下方向に効率よく変形する。
【発明の効果】
【００１８】
本発明の枕および枕システムによれば、ユーザの寝姿勢を改善させる大きな変形が得られる。
【図面の簡単な説明】
【００１９】
【図１】本発明の枕の第１実施形態を示す模式的な断面図である。
【図２】カバー内の収容構造を模式的に示す斜視図である。
【図３】枕ベースを示す斜視図である。
【図４】枕ベースの側面図である。
【図５】下ベースを包んだ上ベースの開かれた状態を示す上面図である。
【図６】下ベースを包んだ上ベースの開かれた状態を示す側面図である。
【図７】下ベースの構造を示す図である。
【図８】上ベースに設けられたセンサの位置を示す図である。
【図９】センサの詳細な配備箇所を示す斜視図である。
【図１０】センサの詳細な配備箇所を示す側面図である。
【図１１】枕システムの一実施形態を示す図である。
【図１２】制御ボックスの操作部を示す図である。
【図１３】リモコンの操作部を示す図である。
【図１４】エアバッグが膨らむ前の状態を示す図である。
【図１５】エアバッグが膨らんだ状態を示す図である。
【図１６】エアバッグの膨らみによって生じるシート基材の反りを示す図である。
【図１７】ベース基材の作用を説明する図である。
【図１８】シート基材の突片部の作用を説明する斜視図である。
【図１９】シート基材の突片部の作用を説明する上面図である。
【図２０】上ベースにおける折り曲げ構造を示す図である。
【図２１】下ベースにおける折り曲げ構造を示す図である。
【図２２】枕全体の折り曲げ構造を示す図である。
【図２３】折り曲げ構造がない場合の状態を示す図である。
【図２４】折り曲げ構造がある場合の状態でを示す図ある。
【図２５】仰向け姿勢の高さ設定で調整するべき高さを示す図である。
【図２６】仰向け姿勢の高さ設定で調整前のエアバッグの状態を示す図である。
【図２７】仰向け姿勢の高さ設定で調整後のエアバッグの状態を示す図である。
【図２８】右向き横寝姿勢の高さ設定で調整するべき高さを示す図である。
【図２９】右向き横寝姿勢の高さ設定で調整前のエアバッグの状態を示す図である。
【図３０】右向き横寝姿勢の高さ設定で調整後のエアバッグの状態を示す図である。
【図３１】左向き横寝姿勢の高さ設定で調整するべき高さを示す図である。
【図３２】左向き横寝姿勢の高さ設定で調整前のエアバッグの状態を示す図である。
【図３３】左向き横寝姿勢の高さ設定で調整後のエアバッグの状態を示す図である。
【図３４】寝返り前の状態を示す図である。
【図３５】ユーザが左向きに寝返りした状態を示す図である。
【図３６】ユーザの左向きの寝返りに対応した枕の動作を示す図である。
【図３７】ユーザが右向きに寝返りした状態を示す図である。
【図３８】ユーザの右向きの寝返りに対応した枕の動作を示す図である。
【図３９】いびきの検知状態を示す図である。
【図４０】いびきが検知された場合の第１の動作におけるエアバッグの動作を示す図である。
【図４１】いびきが検知された場合の第１の動作による頭の動きを示す図である。
【図４２】いびきが検知された場合の第２の動作におけるエアバッグの動作を示す図である。
【図４３】いびきが検知された場合の第２の動作による頭の動きを示す図である。
【図４４】いびきが検知された場合の第３の動作におけるエアバッグの動作を示す図である。
【図４５】いびきが検知された場合の第３の動作による頭の動きを示す図である。
【図４６】いびきが検知された場合の第４の動作におけるエアバッグの動作を示す図である。
【図４７】いびきが検知された場合の第４の動作による頭の動きを示す図である。
【図４８】センサの配備箇所が異なる変形例を示す斜視図である。
【図４９】センサの配備箇所が異なる変形例を示す側面図である。
【図５０】センサ形状が異なる変形例を示す上面図である。
【図５１】センサ形状が異なる変形例を示す斜視図である。
【図５２】センサ形状が異なる変形例を示す側面図である。
【図５３】センサの配備箇所が更に異なる変形例におけるシート基材の裏面を示す図である。
【図５４】センサの配備箇所が更に異なる変形例を示す斜視図である。
【図５５】センサの配備箇所が更に異なる変形例を示す側面図である。
【図５６】反発シートの構成が異なる変形例を示す図である。
【図５７】反発シートの構成が更に異なる変形例を示す図である。
【図５８】本発明の枕の第２実施形態を示す模式的な断面図である。
【図５９】第２実施形態におけるカバー内の収容構造を模式的に示す斜視図である。
【図６０】第２実施形態におけるカバー内の収容構造を模式的に示す側面図である。
【図６１】第２実施形態における上ベースの構造を示す上面図である。
【図６２】第２実施形態における下ベースの構造を示す上面図である。
【図６３】本発明の枕の第３実施形態を示すを示す模式的な断面図である。
【図６４】第３実施形態におけるカバー内の収容構造を模式的に示す斜視図である。
【図６５】第３実施形態におけるカバー内の収容構造を模式的に示す側面図である。
【図６６】第３実施形態を示す上ベースの展開図である。
【図６７】第３実施形態を示す下ベースの構造を示す上面図である。
【図６８】本発明の枕の第４実施形態を示す図である。
【図６９】第４実施形態の枕がつぶれた状態を示す図である。
【図７０】第４実施形態における上ベースの展開図である。
【図７１】第４実施形態における折り曲げ構造を示す図である。
【図７２】本発明の枕の第５実施形態を示す図である。
【図７３】第５実施形態の枕がつぶれた状態を示す図である。
【図７４】第５実施形態における上ベース１の展開図である。
【図７５】第５実施形態における折り曲げ構造を示す図である。
【発明を実施するための形態】
【００２０】
本発明の実施形態について、以下図面を参照して説明する。
【００２１】
以下の説明では、先に参照した図面中の要素を他の図面の説明に際して参照する場合、先の図番を特に断らず、当該要素に付されている符号を用いて参照することがある。また、先の図面で符号を付して説明した要素については、後の図面中で同じ符号を付して重複説明を省略する場合がある。
図１は、本発明の枕の第１実施形態を示す模式的な断面図であり、図２は、カバー内の収容構造を模式的に示す斜視図である。
第１実施形態の枕１００は、外カバー１０と内カバー９に覆われた内部に、枕ベース１２と、防音材７と、反発シート８が収容された構造を有する。
枕ベース１２は、枕１００の高さや形状を変化させる機能が組み込まれている。
防音材７は、枕ベース１２の動作時に発せられる音がユーザに伝わることを防ぐ。
【００２２】
反発シート８は、ユーザの頭などが枕１００と接する部分について、硬さを和らげて寝心地を改善するためのものである。反発シート８は、ユーザの好みなどに合わせて、硬さが異なる複数種類の反発シート８から選択されたものが用いられる。反発シート８の選択方式は、ユーザや販売員などが反発シート８を取り替える方式でもよいし、反発シート８の硬さが異なるラインナップの中からユーザが選択する方式でもよい。
枕ベース１２は反発シート８に上下方向から挟まれた状態で外カバー１０と内カバー９の内部に収容されている。
図３は、枕ベース１２を示す斜視図であり、図４は、枕ベース１２の側面図である。
枕ベース１２は、上ベース１と下ベース２とを備えている。
【００２３】
上ベース１は、シート基材３の表面に複数（ここでは一例として６つ）のエアバッグ４ａ，４ｂ，４ｃ，４ｄ，４ｅ，４ｆが取り付けられた構造となっている。シート基材３は、一例として、コンベアベルトにも用いられるシート状の部材からなり、自在に撓むが伸縮やしわ寄りなどは生じない。また、シート基材３の表面はエアバッグ４ａ，……，４ｆの底面を兼ねている。
【００２４】
エアバッグ４ａ，……，４ｆの上面は、空気の出入りに伴ってゴム風船のように滑らかに伸縮する素材からなる。エアバッグ４ａ，……，４ｆは、上面の周囲がシート基材３の表面に貼り付けられることで構成されている。なお、エアバッグ４ａ，……，４ｆとしては、全体が伸縮する素材からなり、底面がシート基材３の表面に固定されたものであってもよい。
下ベース２は、上ベース１のシート基材３に覆われた内部に収容されている。
【００２５】
ここで、枕ベース１２の向きについて定義する。シート基材３の、エアバッグ４ａ，……，４ｆが取り付けられた面をシート基材３の表面と称し、シート基材３に対してエアバッグ４ａ，……，４ｆの位置する方向を上方向と称する。逆に、シート基材３の、下ベース２に対向する面を裏面と称し、エアバッグ４ａ，……，４ｆに対してシート基材３の位置する方向を下方向と称する。即ち、図４の上方向および下方向が枕ベース１２の上方向および下方向である。
【００２６】
また、図３には、ユーザの体が図の手前側に位置し、ユーザの頭が図の奥側に位置するものとして枕ベース１２が記載されている。つまり、６つのエアバッグ４ａ，……，４ｆのうち、３つのエアバッグ４ｂ，４ｄ，４ｆはユーザの首元側に位置し、他の３つのエアバッグ４ａ，４ｃ，４ｅはユーザの頭頂側に位置している。ユーザの首元側に相当する方向を枕ベース１２の前方向と称し、ユーザの頭頂側に相当する方向を枕ベース１２の後方向と称する。
【００２７】
ユーザが仰向けに寝ている場合、６つのエアバッグ４ａ，……，４ｆのうち、２つのエアバッグ４ａ，４ｂはユーザにとって右側に位置し、２つのエアバッグ４ｅ，４ｆはユーザにとって左側に位置する。このようなユーザにとっての左右方向を枕ベース１２の左右方向と称する。従って、図２，図３の左方向が枕ベース１２の右方向であり、図２，図３の右方向が枕ベース１２の左方向である。６つのエアバッグ４ａ，……，４ｆは、右、中、左の３列で、各々２つずつ設けられている。
図５、図６は、下ベース２を包んだ上ベース１の開かれた状態を示す図であり、図５には上面（展開）図、図６には側面図が示されている。
【００２８】
上ベース１のシート基材３には、枕ベース１２の右方向で下ベース２の側方を回り込み枕ベース１２の下側まで達する突片部３ａと、枕ベース１２の左方向で下ベース２の側方を回り込み枕ベース１２の下側まで達する突片部３ｂと、枕ベース１２の後方向で下ベース２の側方を回り込み枕ベース１２の下側まで達する突片部３ｃと、枕ベース１２の前方向で下ベース２の側方を回り込み枕ベース１２の下側まで達する突片部３ｄが設けられている。
【００２９】
枕ベース１２の左右方向の突片部３ａ，３ｂは、枕ベース１２の下で互いに留められる。具体的には、枕ベース１２の右方向の突片部３ａには凸型スナップ２８＿ｂ１，２８＿ｂ２が設けられ、枕ベース１２の左方向の突片部３ｂには凹型スナップ２８＿ａ１，２８＿ａ２が設けられている。そして、これら凸型スナップ２８＿ｂ１，２８＿ｂ２と凹型スナップ２８＿ａ１，２８＿ａ２が枕ベース１２の下側で留められることにより、左右方向の突片部３ａ，３ｂが、下ベース２を囲んだ状態で互いにスナップ留めされることになる。
【００３０】
また、枕ベース１２の後方向の突片部３ｃには凹型スナップ２８＿ａ３，２８＿ａ４が設けられ、この凹型スナップ２８＿ａ３，２８＿ａ４が、枕ベース１２の左右方向の突片部３ａ，３ｂに設けられた凸型スナップ２８＿ｂ３，２８＿ｂ４と枕ベース１２の下側で留められることにより、枕ベース１２の後方向の突片部３ｃは、下ベース２の後方向を覆った状態でスナップ留めされることになる。
【００３１】
更に、枕ベース１２の前方向の突片部３ｄにも凹型スナップ２８＿ａ５，２８＿ａ６が設けられ、この凹型スナップ２８＿ａ５，２８＿ａ６が枕ベース１２の左右方向の突片部３ａ，３ｂに設けられた凸型スナップ２８＿ｂ５，２８＿ｂ６と枕ベース１２の下側で留められることにより、枕ベース１２の前方向の突片部３ｄは、下ベース２の前方向を覆った状態でスナップ留めされることになる。
【００３２】
このように上ベース１は、スナップ留めにより、下ベース２を包んだ形状に容易に組み立てられる。また、スナップ留めにより各突片部３ａ，３ｂ，３ｃ，３ｄは、枕ベース１２の側方への抜けが防止される。なお、各突片部３ａ，……，３ｄを枕ベース１２の下側で留める手段としては、スナップ留め以外の手段が用いられてもよい。
【００３３】
上ベース１の各エアバッグ４ａ，……，４ｆには、エアバッグ４ａ，……，４ｆに対して空気を出し入れするための空気入出口１５が、各エアバッグ４ａ，……，４ｆの底部側に設けられている。各エアバッグ４ａ，……，４ｆの底部側はシート基材３からなり、空気入出口１５の形状はエアバッグ４ａ，……，４ｆへの空気の出入りでも変形しない。各空気入出口１５には、空気を導くチューブ１６が接続されていて、各エアバッグ４ａ，……，４ｆに対する空気の注入や排出が各チューブ１６を介して個別に実行される。
【００３４】
シート基材３の裏面側には、シート基材３よりも可撓性が低いベース基材６が添えられている。このベース基材６は、シート基材３の、エアバッグ４ａ，……，４ｆが設けられている央部の可撓性を突片部３ａ，……，３ｄの可撓性よりも下げるための部材である。
図７は、下ベース２の構造を示す図である。
【００３５】
下ベース２もシート基材３の表面に複数（ここでは一例として４つ）のエアバッグ５ａ，５ｂ，５ｃ，５ｄが取り付けられた構造となっている。上ベース１のエアバッグ４ａ，……，４ｆと同様に、シート基材３の表面はエアバッグ５ａ，……，５ｄの底面を兼ねており、エアバッグ５ａ，……，５ｄの上面は、空気の出入りに伴ってゴム風船のように滑らかに伸縮する素材からなる。下ベース２のエアバッグ５ａ，……，５ｄも、上面の周囲がシート基材３の表面に貼り付けられることで構成されている。下ベース２の場合も、エアバッグ５ａ，……，５ｄは、全体が伸縮する素材からなり底面がシート基材３の表面に固定されたものであってもよい。
また、各エアバッグ５ａ，……，５ｄには空気入出口１５が設けられ、各空気入出口１５には、空気を導くチューブ１６が接続されている。
下ベース２のエアバッグ５ａ，……，５ｄも、右、中、左の３列に設けられており、左右に各１つ、中に２つのエアバッグが設けられている。
図８は、上ベース１に設けられたセンサの位置を示す図である。
【００３６】
上ベース１には、ユーザの頭を検知するための圧力センサ１７と、ユーザのいびきを検知するための音声センサ１８が備えられている。第１実施形態では圧力センサ１７も音声センサ１８も複数（ここでは一例として２つ）設けられており、上ベース１の左右方向に離れた箇所に配備されている。このようなセンサの配置により、圧力センサ１７では、ユーザの頭の左右位置が検知される。また、上記センサの配置により、音声センサ１８では、上ベース１の左右方向の広範囲に亘っていびきが検知可能となっている。
図９および図１０は、センサの詳細な配備箇所を示す図であり、図９には斜視図、図１０には側面図が示されている。
圧力センサ１７と音声センサ１８の双方とも、シート基材３とベース基材６との間に設けられており、ベース基材６の表面上に固定されている。
図１１は、枕システムの一実施形態を示す図である。
【００３７】
この枕システム１０００は、上述した第１実施形態の枕１００と、制御ボックス２００とを備えており、制御ボックス２００はスマートフォン３００と通信することができる。
【００３８】
制御ボックス２００には空気ポンプ３３と空気制御バルブ３２が内蔵されており、空気制御バルブ３２によって注入と排出が切替えられ、空気ポンプ３３によって空気の注入および排出が実行される。なお、空気ポンプ３３および空気制御バルブ３２を含んだ送気装置は、枕１００に備えられている合計で１０個のエアバッグそれぞれについて個別に空気の注入および排出が可能である。また、本実施形態における送気装置には、空気の注入量および排出量を計測する流量計も組み込まれている。
【００３９】
制御ボックス２００には、電源スイッチ３１、ＡＣアダプタ３４、リモコン３５が備えられ、内部には制御基板３０が収容されている。制御基板３０は、空気ポンプ３３および空気制御バルブ３２を含んだ送気装置による空気の注入および排出を制御する。また、制御基板３０は、各エアバッグに対する空気の注入量および排出量を記憶することができ、各エアバッグの空気量を変更させた後、元の空気量に戻させることもできる。制御基板３０は、リモコン３５の操作に応じて空気の注入および排出を制御するマニュアルモードと、枕１００に備えられた圧力センサ１７および音声センサ１８による検知に応じて空気の注入および排出を制御するオートモードとを有する。また、制御基板３０は、スマートフォン３００を介してシステムの状態を表示することや設定操作を受けることができる。
図１２は、制御ボックス２００の操作部を示す図である。
【００４０】
制御ボックス２００の外面には、電源スイッチ３１と入力キー３９と液晶表示器４０が配備されている。入力キー３９は、アラーム設定などの各種設定に用いられ、液晶表示器４０には設定状態が表示される。
図１３は、リモコン３５の操作部を示す図である。
【００４１】
リモコン３５の外面には、上下左右の操作キー３７と、枕１００の上ベース１に備えられた６個のエアバッグ４ａ，……，４ｆに対応した６個のＬＥＤ３８ａと、枕１００の下ベース２に備えられた４個のエアバッグ５ａ，……，５ｄに対応した４個のＬＥＤ３８ｂが備えられている。
【００４２】
１０個のＬＥＤ３８ａ，３８ｂのうちの１つが点灯することにより、空気の注入・排出の対象として選ばれた１つのエアバッグが示される。そして、選択対象のエアバッグは、操作キー３７の左右キーが操作されることにより特定の順序に従って１つずつ切替えられる。
操作キー３７の上下キーが操作されることにより、選択されたエアバッグに対し、空気の注入・排出が実行される。
【００４３】
図１４〜図１６は、エアバッグの膨らみによって生じる作用を説明する図である。図１４には、エアバッグが膨らむ前の状態が示され、図１５には、エアバッグが膨らんだ状態が示され、図１６には、エアバッグの膨らみによって生じるシート基材３の反りが示されている。
ここでは一例として、上ベース１の５番目のエアバッグ４ｅが膨らむ場合の作用が示されている。
【００４４】
エアバッグ４ｅに空気が注入されると、エアバッグ４ｅは上方へと膨らむ。図ではエアバッグ４ｅが角柱状に示されているが、実際には、エアバッグ４ｅの上面は滑らかに膨張するのでエアバッグ４ｅは丸く膨らむことになる。また、エアバッグ４ｅの上面が膨張するのに対し、エアバッグ４ｅの底面のシート基材３は伸長しないので、シート基材３に沿った方向への膨張の逃げが抑えられ、エアバッグ４ｅは上方向に効率よく膨らむ。この結果、枕１００に大きな変形が生じることになる。
【００４５】
このようにエアバッグ４ｅが膨らむことにより、図１５に示すように、エアバッグ４ｅはユーザの頭を持ち上げる方向の力ｆ１を生じる。この力ｆ１に対し、特に枕１００にユーザの頭が載っている場合には、下向きの反力ｆ２が生じる。この反力ｆ２は、エアバッグ４ｅの底に相当するシート基材３の箇所を下向きに凹ませるように作用する。この結果、ベース基材６がない場合には、エアバッグ４ｅの底の凹みに伴い、エアバッグ４ｅの周囲のシート基材３を持ち上げる力ｆ３が発生する。このような力ｆ３によって、図１６に示すように、シート基材３は、反るように持ち上がる。このようにシート基材３が持ち上がる（反り上がる）と枕１００が歪んでしまい、寝心地が悪くなる。
そこで、本実施形態では、シート基材３の裏側にベース基材６が添えられている。
図１７は、ベース基材６の作用を説明する図である。
【００４６】
シート基材３の裏側にベース基材６が添えられている場合は、エアバッグ４ｅの上方への力ｆ１に対する反力ｆ２によるエアバッグ４ｅの底の凹みがベース基材６によって抑制される。そのため、エアバッグ４ｅの周囲を持ち上げる力ｆ３も抑制され、枕１００の歪みも防止される。
【００４７】
なお、ベース基材６が添えられている場合であっても、シート基材３とベース基材６とを併せた基材全体としては、下ベース２のエアバッグの膨らみによって撓む程度の可撓性を有している。
上述したシート基材３の持ち上がり（反り上がり）は、シート基材３の突片部３ａ，３ｂ，３ｃ，３ｄによっても抑制される。
図１８，図１９は、シート基材３の突片部３ａ，３ｂ，３ｃ，３ｄの作用を説明する図である。図１８には斜視図、図１９には上面図が示されている。
【００４８】
シート基材３の突片部３ａ，３ｂ，３ｃ，３ｄは、図に矢印で示されているように、シート基材３の持ち上がりを抑える。この結果、枕１００の端や角に近いエアバッグ（例えば第４のエアバッグ４ｄや第５のエアバッグ４ｅ）が膨らんだ場合であっても、枕１００の不要な歪みが抑制され、エアバッグ４ｄ，４ｅの膨らみの力が上方向に効率よく発生する。
本実施形態の枕１００では、以下説明する折り曲げ構造によって寝心地の向上が図られている。
【００４９】
図２０〜図２２は、折り曲げ構造を示す図である。図２０には、上ベース１における折り曲げが示され、図２１には、下ベース２における折り曲げが示され、図２２には、枕１００全体の折り曲げが示されている。
【００５０】
上述したように、上ベース１のエアバッグ４ａ，……，４ｆは、右中左の３列で配備されており、シート基材３にはそれらの列の相互間に折り目ＶＦが付けられている。また、下ベース２のシート基材３にも、右中左の３列の相互間に折り目ＶＦが付けられている。
【００５１】
このような折り目ＶＦがシート基材３に付けられていることにより、枕１００は折り目の箇所で折れやすくなっており、図２２の矢印で示すように内向きに曲がる折り曲げ構造となる。
【００５２】
図２３、図２４は、折り曲げ構造の作用を説明する図である。図２３には、折り曲げ構造がない場合の状態が示され、図２４には、折り曲げ構造がある場合の状態が示されている。図２３および図２４には、枕の後方側から見た状態が模式的に示されている。
【００５３】
折り曲げ構造がない場合には、複数列に配備されたエアバッグ４ａ，……，４ｆの列の相互間距離ｄが大きく、ユーザ４００が頭をのせた場合に溝を感じてしまい、寝心地を阻害する。これに対して、折り曲げ構造がある場合には、エアバッグ４ａ，……，４ｆの列の相互間距離ｄが縮小されてユーザ４００が溝を感じにくく、寝心地が向上する。このような折り曲げ構造は、本発明の枕において必須な構造ではないが、折り曲げ構造が採用されることによって寝心地の向上が図られる。
【００５４】
次に、上記枕１００の高さを個々のユーザの体型に整合させる高さ設定の手順について説明する。この高さ設定は、上述したマニュアルモードによって実行される。
【００５５】
高さ設定では、ユーザは仰向け姿勢と左右の横寝姿勢とに順次に姿勢を変えながらエアバッグの空気量を調整して高さを設定する。ここでは、一例として、仰向け姿勢で１番目の高さ設定を行い、右向き横寝姿勢で２番目の高さ設定を行い、左向き横寝姿勢で３番目の高さ設定を行うものとして以下説明する。
図２５は、仰向け姿勢の高さ設定で調整するべき高さを示す図である。
【００５６】
ユーザ４００が仰向け姿勢で枕１００に頭を載せた場合には、枕１００の高さとしては、例えば、背中の最下点と後頭部との高低差Ｔ１、および背中の最下点と首の後ろとの高低差Ｔ２を補う高さが適切と言われている。但し、実際の調整に際しては、このような高低差Ｔ１，Ｔ２と、枕１００がベッドや布団に沈み込む分と、ユーザ４００の好みとが反映された調整になる。
【００５７】
図２６は、仰向け姿勢の高さ設定で調整前のエアバッグの状態を示す図である。図２６（Ａ）には断面図が示され、図２６（Ｂ）にはエアバッグの配置図が示されている。
【００５８】
高さ設定における調整前は、全てのエアバッグが萎んでいて、各エアバッグの高さは図２６（Ａ）に示すように最低となっている。また、図２６（Ｂ）には、上ベース１および下ベース２の全てのエアバッグが、空気ゼロであることを示す白抜き表示となっている。
【００５９】
図２７は、仰向け姿勢の高さ設定で調整後のエアバッグの状態を示す図である。図２７（Ａ）には断面図が示され、図２７（Ｂ）にはエアバッグの配置図が示されている。
【００６０】
高さ設定における調整では、上述したリモコン３５をユーザ４００が操作して、上ベース１の中央列に設けられたエアバッグ４ｃ，４ｄに対して空気を注入する。そしてユーザ４００は、各エアバッグ４ｃ，４ｄが図２７（Ａ）に示すような適切な高さ（好みの高さ）に達するように空気量を調整する。このような調整の結果、図２７（Ｂ）に斜線で示されているように、上ベース１の中央列に設けられたエアバッグ４ｃ，４ｄが膨らむ。
図２８は、右向き横寝姿勢の高さ設定で調整するべき高さを示す図である。
【００６１】
ユーザ４００が横寝姿勢で枕１００に頭を載せた場合には、枕１００の高さとしては、例えば、肩の最下点と側頭部との高低差Ｔ３、および肩の最下点と首の横との高低差Ｔ４を補う高さが適切と言われている。但し、実際の調整に際しては、このような高低差Ｔ３，Ｔ４と、枕１００がベッドや布団に沈み込む分と、ユーザ４００の好みとが反映された調整になる。
図２９は、右向き横寝姿勢の高さ設定で調整前のエアバッグの状態を示す図である。
【００６２】
右向き横寝姿勢での調整前は、仰向け姿勢での調整で膨らんだ上ベース１の中央列のエアバッグ４ｃ，４ｄを除いて、他の全てのエアバッグが、図２９（Ａ）の断面図に示すように萎んでいる。そして、図２９（Ｂ）の配置図では、上ベース１の中央列のエアバッグ４ｃ，４ｄに、膨らんでいることを示す斜線が付されており、他の全てのエアバッグが、空気ゼロであることを示す白抜き表示となっている。
図３０は、右向き横寝姿勢の高さ設定で調整後のエアバッグの状態を示す図である。
【００６３】
ユーザ４００は右向きの横寝姿勢でリモコン３５を操作して、上ベース１の右列に設けられたエアバッグ４ａ，４ｂに対して空気を注入する。そしてユーザ４００は、各エアバッグ４ａ，４ｂが図３０（Ａ）の断面図に示すような適切な高さ（好みの高さ）に達するように空気量を調整する。このような調整の結果、図３０（Ｂ）の配置図に斜線で示されているように、上ベース１の中央列と右列に設けられたエアバッグ４ａ，４ｂ，４ｃ，４ｄが膨らんだ状態となる。
図３１は、左向き横寝姿勢の高さ設定で調整するべき高さを示す図である。
【００６４】
左向き横寝姿勢の場合も、右向き横寝姿勢の場合と同様に、枕１００の高さとしては、例えば、肩の最下点と側頭部との高低差Ｔ５、および肩の最下点と首の横との高低差Ｔ６を補う高さが適切と言われている。実際の調整に際しては、このような高低差Ｔ５，Ｔ６と、枕１００がベッドや布団に沈み込む分と、ユーザ４００の好みとが反映された調整になる。
図３２は、左向き横寝姿勢の高さ設定で調整前のエアバッグの状態を示す図である。
【００６５】
左向き横寝姿勢での調整前は、仰向け姿勢および右向き横寝姿勢での調整で膨らんだ上ベース１の４つのエアバッグ４ａ，４ｂ，４ｃ，４ｄを除いて、他のエアバッグが、図３２（Ａ）の断面図に示すように萎んでいる。そして、図３２（Ｂ）の配置図では、上ベース１の４つのエアバッグ４ａ，４ｂ，４ｃ，４ｄに、膨らんでいることを示す斜線が付されており、他の全てのエアバッグが、空気ゼロであることを示す白抜き表示となっている。
図３３は、左向き横寝姿勢の高さ設定で調整後のエアバッグの状態を示す図である。
【００６６】
ユーザ４００は左向きの横寝姿勢でリモコン３５を操作して、上ベース１の左列に設けられたエアバッグ４ｅ，４ｆに対して空気を注入する。そしてユーザ４００は、各エアバッグ４４ｅ，４ｆが図３３（Ａ）の断面図に示すような適切な高さ（好みの高さ）に達するように空気量を調整する。このような調整の結果、図３３（Ｂ）の配置図に斜線で示されているように、上ベース１の全エアバッグ４ａ，……，４ｆが膨らんだ状態となる。
【００６７】
以上の高さ調整により、枕１００の高さは、ユーザ４００のどのような寝姿勢についても適切な高さとなり、快適な睡眠に寄与することができる。エアバッグ４ａ，……，４ｆが左中右の３列に設けられているので、枕１００の左中右が個別に変形可能であり、ユーザにとって有用な変形が容易に実現される。
高さ設定で上記のように設定された高さは、上述した制御ボックス２００の機能によって再現可能となっている。
次に、寝返りの際における枕１００の動作について説明する。この動作は、上述したオートモードによって実行される。
【００６８】
図３４は、寝返り前の状態を示す図である。図３４（Ａ）には、ユーザの頭頂側から見た模式的断面図が示され、図３４（Ｂ）には、圧力センサ１７および音声センサ１８の反応状態が示されている。
【００６９】
寝返り前の状態では、各エアバッグ４ａ，４ｃ，４ｅの高さは、上述した高さ設定で調整された高さとなっている。また、図３４（Ｂ）に斜線で示されているように、２つの圧力センサ１７の双方に圧力が掛かかり、双方の圧力センサ１７によって圧力が検知される。音声センサ１８は音声を検知していないものとする。このように圧力センサ１７が圧力を検知することで、枕１００にユーザ４００が頭を載せていることが認識され、上述したオートモードが起動される。
図３５は、ユーザ４００が左向きに寝返りした状態を示す図である。
【００７０】
ユーザ４００が左向きに寝返りすると、図３５（Ａ）に示すように、ユーザ４００の頭の位置は左側のエアバッグ４ｅの方に移動する。この結果、図３５（Ｂ）に示すように、２つの圧力センサ１７のうち、左側の圧力センサ１７が高い圧力を検知する。この検知によってユーザ４００の左向きの寝返りが枕システム１０００に認識される。
図３６は、ユーザ４００の左向きの寝返りに対応した枕１００の動作を示す図である。
【００７１】
ユーザ４００が左向きに寝返りしたことを枕システム１０００が認識すると、下ベース２に設けられた３列のエアバッグ５ａ，……，５ｄのうち、中央列のエアバッグ５ｂ，５ｃに空気が注入される。
【００７２】
図３６（Ａ）に示すように下ベース２のエアバッグ５ｂに空気が注入されると上ベース１は、中央列が持ち上がるように撓む。上ベース１における上述したシート基材３やベース基材６の可撓性により、下ベース２のエアバッグ５ｂの膨らみが上ベース１を撓ませ、エアバッグ５ｂの膨らみによって適切な枕１００の変形が生じる。上ベース１および下ベース２における上述した折り曲げ構造は、枕１００の効率的な変形にも寄与する。
【００７３】
エアバッグ５ｂの膨らみによる枕１００の変形で、上ベース１の中央列のエアバッグ４ｃの高さ（即ち枕１００の中央の高さ）が、左列（即ちユーザが寝返りした側の列）のエアバッグ４ｅの高さ（即ち枕１００の左側の高さ）に揃う。言い換えると、そのように高さが揃う程度の空気が下ベース２のエアバッグ５ｂに注入される。このときに注入される空気量は、上述した高さ設定でユーザ４００が調整したエアバッグ４ｅの高さに応じた空気量であることが望ましい。このように枕１００の中央と左の高さが揃うことにより左向き横寝姿勢での寝心地が向上して安眠が保たれる。
図３７は、ユーザ４００が右向きに寝返りした状態を示す図である。
【００７４】
ユーザ４００が右向きに寝返りすると、図３７（Ａ）に示すように、ユーザ４００の頭の位置は右側のエアバッグ４ａの方に移動する。この結果、図３７（Ｂ）に示すように、２つの圧力センサ１７のうち、右側の圧力センサ１７が高い圧力を検知する。この検知によってユーザ４００の右向きの寝返りが枕システム１０００に認識される。
図３８は、ユーザ４００の右向きの寝返りに対応した枕１００の動作を示す図である。
【００７５】
ユーザ４００が右向きに寝返りしたことを枕システム１０００が認識すると、下ベース２に設けられた３列のエアバッグ５ａ，……，５ｄのうち、中央列のエアバッグ５ｂ，５ｃに空気が注入される。
【００７６】
図３８（Ａ）に示すように下ベース２のエアバッグ５ｂに空気が注入されると上ベース１は、中央列が持ち上がるように撓む。この結果、上ベース１の中央列のエアバッグ４ｃの高さ（即ち枕１００の中央の高さ）が、右列（即ちユーザが寝返りした側の列）のエアバッグ４ａの高さ（即ち枕１００の右側の高さ）に揃う。言い換えると、そのように高さが揃う程度の空気が下ベース２のエアバッグ５ｂに注入される。このときに注入される空気量は、上述した高さ設定でユーザ４００が調整したエアバッグ４ａの高さに応じた空気量であることが望ましい。このように、枕１００の中央と右の高さが揃うことにより、寝返りを打った寝姿勢での寝心地が向上する。
次に、いびきの際における枕１００の動作について説明する。この動作も、上述したオートモードによって実行される。
図３９は、いびきの検知状態を示す図である。
【００７７】
ユーザ４００がいびきをしていない場合、音声センサ１８は音を検知しないが、ユーザ４００がいびきをすると、音声センサ１８が音を検知する。音声センサ１８が左右に離れて設けられているので、ユーザ４００がどの位置で寝ている場合でもいびきの音が検知される。
音声センサ１８によって検知された音は、周波数成分などが制御ボックス２００の制御基板３０で解析され、いびきの音であることが確認される。
【００７８】
図４０および図４１は、いびきが検知された場合の第１の動作を示す図である。図４０には、第１の動作におけるエアバッグの動作が示され、図４１には、第１の動作による頭の動きが示されている。
【００７９】
第１の動作では、図４０（Ｂ）の配置図に示すように、上ベース１に設けられた３列のエアバッグ４ａ，……，４ｆのうち、中央列のエアバッグ４ｃ，４ｄに対し、空気の排出と注入が繰り返される。この結果、図４０（Ａ）の断面図に示すように、ユーザ４００の頭が載っている箇所で枕１００の高さが上下する。このように枕１００の高さが上下する（特に、ユーザ４００の首の後が上下する）ことにより、図４１に示すように、ユーザ４００の頭や首元が上下方向に動かされてユーザ４００に刺激が与えられる。このような刺激はいびきの抑制に寄与することが期待される。
音声センサ１８がいびきの音を検知しなくなると、第１の動作は終了し、各エアバッグの空気量は、高さ設定時の空気量に戻る。
【００８０】
図４２および図４３は、いびきが検知された場合の第２の動作を示す図である。図４２には、第２の動作におけるエアバッグの動作が示され、図４３には、第２の動作による頭の動きが示されている。
【００８１】
この第２の動作は、本実施形態では、上述した第１の動作に替えて実行される動作である。例えばユーザ４００による選択設定などによって第１の動作と第２の動作との何れが実行されるか決定される。
【００８２】
第２の動作では、図４２（Ｂ）の配置図に示すように、下ベース２に設けられた３列のエアバッグ５ａ，……，５ｄのうち、中央列のエアバッグ５ｂ，５ｃに対し、空気の排出と注入が繰り返される。この結果、図４３に示すように、上ベース１は下ベース２のエアバッグ５ｂ，５ｃの伸縮に伴い、中央が上下するように撓む。そのため、図４２（Ａ）の断面図に示すように、ユーザ４００の頭が載っている箇所で枕１００の高さが上下する。
上ベース１および下ベース２における上述した折り曲げ構造は、第２の動作でも枕１００の効率的な変形に寄与する。
【００８３】
第２の動作における上下動は、上述した高さ設定で調整された高さよりも高い方向での上下動となり、図４３に示すように、ユーザ４００の頭や首元が、第１の動作よりも高い位置で上下方向に動かされる。この上下動によりユーザ４００には第１の動作よりも強い刺激が与えられる。このような刺激もいびきの抑制に寄与することが期待される。
第２の動作も、音声センサ１８がいびきの音を検知しなくなると終了し、各エアバッグの空気量は、高さ設定時の空気量に戻る。
【００８４】
図４４および図４５は、いびきが検知された場合の第３の動作を示す図である。図４４には、第３の動作におけるエアバッグの動作が示され、図４５には、第３の動作による頭の動きが示されている。
この第３の動作も、本実施形態では、上述した第１の動作、第２の動作に替えて実行される動作である。
【００８５】
第３の動作では、下ベース２に設けられた３列のエアバッグ５ａ，……，５ｄのうち、左列のエアバッグ５ｄに対して空気が注入される。この結果、上ベース１の左側が撓み、枕１００の左側の高さが、高さ設定で調整された高さよりも高くなる。この結果、ユーザ４００は、左側に頭を向けることが難しくなる。そして、図４５に示すように、ユーザ４００は、左側からの圧力から逃げるように、右側への寝返りが促進される。このような寝返りはいびきの抑制に寄与することが期待される。上ベース１および下ベース２における上述した折り曲げ構造は、第３の動作でも枕１００の効率的な変形に寄与する。
第３の動作も、音声センサ１８がいびきの音を検知しなくなると終了し、各エアバッグの空気量は、高さ設定時の空気量に戻る。
【００８６】
図４６および図４７は、いびきが検知された場合の第４の動作を示す図である。図４６には、第４の動作におけるエアバッグの動作が示され、図４６には、第４の動作による頭の動きが示されている。
この第４の動作も、本実施形態では、上述した第１の動作、第２の動作、第３の動作に替えて実行される動作である。
【００８７】
第４の動作では、下ベース２に設けられた３列のエアバッグ５ａ，……，５ｄのうち、右列のエアバッグ５ａに対して空気が注入される。この結果、上ベース１の右側が撓み、枕１００の右側の高さが、高さ設定で調整された高さよりも高くなる。この結果、ユーザ４００は、右側に頭を向けることが難しくなる。そして、図４７に示すように、ユーザ４００は、右側からの圧力から逃げるように、左側への寝返りが促進される。このような寝返りはいびきの抑制に寄与することが期待される。上ベース１および下ベース２における上述した折り曲げ構造は、第４の動作でも枕１００の効率的な変形に寄与する。
第４の動作も、音声センサ１８がいびきの音を検知しなくなると終了し、各エアバッグの空気量は、高さ設定時の空気量に戻る。
【００８８】
なお、上述した第１〜第４の動作については、いずれかが選択されて、その選択された動作のみが実行されてもよいし、例えば、いびき抑制の効果が得られるまで順次に切替えて実行されてもよい。
以下、上記第１実施形態に対する変形例や他の実施形態について説明する。
図４８および図４９は、センサの配備箇所が異なる変形例を示す図である。図４８には斜視図が示され、図４９には側面図が示されている。
【００８９】
上述した第１実施形態では圧力センサ１７および音声センサ１８がベース基材６の表面上に固定されているのに対し、この変形例では、ベース基材が上側ベース基材６ａと下側ベース基材６ｂとに分かれていて、圧力センサ１７および音声センサ１８が上側ベース基材６ａの穴Ｈに埋め込まれている。このようにベース基材内にセンサが埋め込まれていることにより、枕全体の一体性が向上するとともに、センサの位置ズレなども防止される。
図５０〜図５２は、センサ形状が異なる変形例を示す図である。図５０には上面図が示され、図５１には斜視図が示され、図５２には側面図が示されている。
【００９０】
この変形例では、長尺の１本の圧力センサ１７が用いられる。この圧力センサ１７は、ユーザ４００の頭の位置を検出することはできないが、ユーザ４００の頭が枕１００のどの位置に載っていても確実に圧力を検知することができる。
【００９１】
また、この変形例における圧力センサ１７および音声センサ１８の配備箇所は、上述した第１実施形態と同様に、シート基材３とベース基材６との間で、圧力センサ１７および音声センサ１８はベース基材６の表面上に固定されている。
【００９２】
図５３〜図５５は、センサの配備箇所が更に異なる変形例を示す図である。図５３にはシート基材３の裏面が示され、図５４には斜視図が示され、図５５には側面図が示されている。
【００９３】
この変形例でも、圧力センサ１７および音声センサ１８はシート基材３とベース基材６との間に配備されているが、圧力センサ１７および音声センサ１８の固定箇所はシート基材３の裏面である。
【００９４】
このように圧力センサ１７および音声センサ１８の固定箇所や固定方法としては色々な態様が採用可能であるが、上ベース１のシート基材３から下方に離れるにつれてセンサの検知性能が低下していくので、設置場所としては上ベース１のシート基材３とベース基材６との間が好適である。
図５６は、反発シートの構成が異なる変形例を示す図である。
【００９５】
図５６に示す変形例では、反発シートが第１シート８ａと第２シート８ｂという複数（この例では２枚）のシートの重ね合わせで構成されている。そして、これら複数のシート８ａ，８ｂの硬さの組み合わせがユーザの好みによって選択される。反発シートの硬さは材質に依存するため、硬さの異なる多数の材質の反発シートを用意するよりも、複数のシート８ａ，８ｂで硬さを組み合わせる方が、枕１００としての硬さの種類を増やすことが容易で、ユーザによる選択の自由度も上がる。
図５７は、反発シートの構成が更に異なる変形例を示す図である。
【００９６】
図５７に示す変形例では、反発シートが、シートの広がる面内方向で複数（この例では２つ）の領域に分割されている。即ち、図５６に示す第２シート８ｂに替えて、後方第２シート８ｂ１と前方第２シート８ｂ２が用いられる。ユーザ４００が枕１００の硬さを選択する場合、枕１００の位置（特に前後位置）に応じて異なる硬さを所望する場合があり、図５７に示す変形例は、このような好みに対応することができる。
【００９７】
図５８は、本発明の枕の第２実施形態を示す模式的な断面図であり、図５９は、カバー内の収容構造を模式的に示す斜視図であり、図６０は、その収容構造を模式的に示す側面図である。
【００９８】
第２実施形態の枕１０１では、外カバー１０と内カバー９に覆われた内部に、上ベース１と下ベース２とが重なり合って収容されている。第１実施形態とは異なり、上ベース１は、下ベース２を覆っておらず下ベース２の上に単に重なっている。
【００９９】
第２実施形態における上ベース１および下ベース２も、第１実施形態と同様に、シート基材３の裏面側にベース基材６が添えられている。これにより、図１７で説明したようにシート基材３の反りがベース基材６によって抑制される。なお、第２実施形態の場合には、シート基材３とベース基材６とを合わせた可撓性と同等の可撓性を有する素材がシート基材３として用いられてもよい。このような素材がシート基材３として用いられることで、ベース基材６が省かれた簡素な構造が実現される。
図６１は、第２実施形態における上ベース１の構造を示す上面図であり、図６２は、第２実施形態における下ベース２の構造を示す上面図である。
【０１００】
第２実施形態では、上ベース１と下ベース２の外周形状は同様な形状となっている。また、上ベース１の表面には一例として６個のエアバッグ４ａ，……，４ｆが、左中右の３列に設けられ、下ベース２の表面には一例として４個のエアバッグ５ａ，……，５ｄが、左中右の３列に設けられている。
このような第２実施形態でも、第１実施形態と同様な動作が実現され、ユーザの寝姿勢を改善させる大きな変形が得られる。
図６３〜図６７は、本発明の枕の第３実施形態を示す図である。
【０１０１】
第３実施形態の枕１０２は、第１実施形態と同様に、下ベース２を内部に包み込んだ上ベース１が備えられている。この第３実施形態の枕１０２では、ユーザ４００の首周りにおける寝心地の改善が図られている。具体的には、上ベース１における前方の一部に、ユーザ４００の首周りに位置する首周り部１３が設けられ、上ベース１は、この首周り部１３が上ベース１の内側に凹んだ構造となっている。このように首周り部１３が凹んでいることでユーザ４００の首に対する枕１０２の当たり心地や首の収まりが改善され、ユーザ４００の寝心地が向上する。
【０１０２】
図６６の展開図に示すように、首周り部１３は突片部を形成しており、首周り部１３に設けられた凹型スナップ２８＿ａ７，２８＿ａ８が、上ベース１の左右の突片部３ａ，３ｂに設けられた凸型スナップ２８＿ｂ７，２８＿ｂ８に留められることにより、首周りで凹んだ構造が容易に得られる。
【０１０３】
また、図６７に示すように、下ベース２に設けられた４つのエアバッグ５ａ，……，５ｄのうち、ユーザ４００の首元に位置するエアバッグ５ｃは、枕１０２の首周り部１３に対応して、下ベース２の中央側へと凹んだ形状となっている。
図６８〜図６９は、本発明の枕の第４実施形態を示す図である。
【０１０４】
第４実施形態の枕１０３（カバーや反発シートなどの図示は省略されている）では、上ベース１のベース基材３が枕１０３の前後左右に回り込んだ各側面に、ベース基材３の可撓性を高める穴３ｅが設けられている。このような穴３ｅによってベース基材３の側面における可撓性が高められた結果、枕１０３に載ったユーザ４００の頭の重さＷによって、図６９に示すように容易に枕１０３がつぶれる。このため、エアバッグ４ａ，……,４ｆが萎んでいるときの枕１０３の高さが十分に低下するので、高さ設定における調整可能範囲が広く、枕の高さに対するユーザの好みに幅広く対応可能となる。
図７０は、第４実施形態における上ベース１の展開図である。
上述した穴３ｅは、前後左右の突片部３ａ，３ｂ，３ｃ，３ｄに設けられている。
第４実施形態でも、図に示すようなスナップ配置でのスナップ留めにより、上ベース１で下ベース２を包んだ形状が容易に組み立てられる。
図７１は、第４実施形態における折り曲げ構造を示す図である。
【０１０５】
第４実施形態の枕１０３においても、第１実施形態で説明した折り曲げ構造が有効である。図の矢印で示すように内向きに曲がる折り曲げ構造が採用されることによって第４実施形態の枕１０３でもエアバッグの相互間距離が減少し、寝心地が向上する。また、このような折り曲げ構造は、下ベース２のエアバッグが膨らんだ場合に枕１０３の効率的な変形に寄与する。
図７２、図７３は、本発明の枕の第５実施形態を示す図である。
【０１０６】
第５実施形態の枕１０４では、第４実施形態の枕１０３と同様に、上ベース１のベース基材３が枕１０３の前後左右に回り込んだ各側面に、ベース基材３の可撓性を高める穴３ｅが設けられている。このため、ユーザ４００の頭の重さＷによって枕１０４がつぶれやすく、高さ設定における調整可能範囲が広い。
【０１０７】
また、第５実施形態の枕１０４では、第３実施形態の枕１０２と同様に、上ベース１における前方の一部に、ユーザ４００の首周りに位置する首周り部１３が設けられている。このため、ユーザ４００の首に対する枕１０２の当たり心地や首の収まりが改善される。
図７４は、第５実施形態における上ベース１の展開図である。
上述した穴３ｅは、前後左右の突片部３ａ，３ｂ，３ｃ，３ｄと首周り部１３に設けられている。
第５実施形態でも、図７４に示すようなスナップ配置でのスナップ留めにより、上ベース１で下ベース２を包んだ形状が容易に組み立てられる。
図７５は、第５実施形態における折り曲げ構造を示す図である。
【０１０８】
第５実施形態の枕１０４においても第１実施形態と同様な折り曲げ構造が有効である。図の矢印で示すように内向きに曲がる折り曲げ構造が採用されることによって第５実施形態の枕１０４でもエアバッグの相互間距離が減少し、寝心地が向上する。また、このような折り曲げ構造は、下ベース２のエアバッグが膨らんだ場合に枕１０４の効率的な変形に寄与する。
【符号の説明】
【０１０９】
１０００    枕システム
１００，１０１，１０２，１０３，１０４    枕
７    防音材
８    反発シート
９    内カバー
１０    外カバー
１２    枕ベース
１    上ベース
２    下ベース
３    シート基材
３ａ，３ｂ，３ｃ，３ｄ    突片部
３ｅ    穴
４ａ，４ｂ，４ｃ，４ｄ，４ｅ，４ｆ，５ａ，５ｂ，５ｃ，５ｄ    エアバッグ
６    ベース基材
１３    首周り部
１５    空気入出口
１６    チューブ
１７    圧力センサ
１８    音声センサ
ＶＦ    折り目
２００    制御ボックス
３２    空気制御バルブ
３３    空気ポンプ
３０    制御基板
４００    ユーザ
【図１】
2020014812.tif 000003
【図２】
2020014812.tif 000004
【図３】
2020014812.tif 000005
【図４】
2020014812.tif 000006
【図５】
2020014812.tif 000007
【図６】
2020014812.tif 000008
【図７】
2020014812.tif 000009
【図８】
2020014812.tif 000010
【図９】
2020014812.tif 000011
【図１０】
2020014812.tif 000012
【図１１】
2020014812.tif 000013
【図１２】
2020014812.tif 000014
【図１３】
2020014812.tif 000015
【図１４】
2020014812.tif 000016
【図１５】
2020014812.tif 000017
【図１６】
2020014812.tif 000018
【図１７】
2020014812.tif 000019
【図１８】
2020014812.tif 000020
【図１９】
2020014812.tif 000021
【図２０】
2020014812.tif 000022
【図２１】
2020014812.tif 000023
【図２２】
2020014812.tif 000024
【図２３】
2020014812.tif 000025
【図２４】
2020014812.tif 000026
【図２５】
2020014812.tif 000027
【図２６】
2020014812.tif 000028
【図２７】
2020014812.tif 000029
【図２８】
2020014812.tif 000030
【図２９】
2020014812.tif 000031
【図３０】
2020014812.tif 000032
【図３１】
2020014812.tif 000033
【図３２】
2020014812.tif 000034
【図３３】
2020014812.tif 000035
【図３４】
2020014812.tif 000036
【図３５】
2020014812.tif 000037
【図３６】
2020014812.tif 000038
【図３７】
2020014812.tif 000039
【図３８】
2020014812.tif 000040
【図３９】
2020014812.tif 000041
【図４０】
2020014812.tif 000042
【図４１】
2020014812.tif 000043
【図４２】
2020014812.tif 000044
【図４３】
2020014812.tif 000045
【図４４】
2020014812.tif 000046
【図４５】
2020014812.tif 000047
【図４６】
2020014812.tif 000048
【図４７】
2020014812.tif 000049
【図４８】
2020014812.tif 000050
【図４９】
2020014812.tif 000051
【図５０】
2020014812.tif 000052
【図５１】
2020014812.tif 000053
【図５２】
2020014812.tif 000054
【図５３】
2020014812.tif 000055
【図５４】
2020014812.tif 000056
【図５５】
2020014812.tif 000057
【図５６】
2020014812.tif 000058
【図５７】
2020014812.tif 000059
【図５８】
2020014812.tif 000060
【図５９】
2020014812.tif 000061
【図６０】
2020014812.tif 000062
【図６１】
2020014812.tif 000063
【図６２】
2020014812.tif 000064
【図６３】
2020014812.tif 000065
【図６４】
2020014812.tif 000066
【図６５】
2020014812.tif 000067
【図６６】
2020014812.tif 000068
【図６７】
2020014812.tif 000069
【図６８】
2020014812.tif 000070
【図６９】
2020014812.tif 000071
【図７０】
2020014812.tif 000072
【図７１】
2020014812.tif 000073
【図７２】
2020014812.tif 000074
【図７３】
2020014812.tif 000075
【図７４】
2020014812.tif 000076
【図７５】
2020014812.tif 000077